(57)【要約】【課題】本発明の目的は、既設の部材を流用して構成できるかご側前垂れを提供することである。【解決手段】かご側前垂れは、板状に形成され、上端部に取付具６を備え、下端部にはエレベータのかご床の前梁２の前面に形成された前梁取付穴に左右方向において対応した位置に第１取付穴７が形成され、当該上端部が取付具６により前梁２の前面に取り付けられる第１前垂れ３と、板状に形成され、上端部に第２取付穴８が形成され、当該上端部が第１前垂れ３の下端部に取り付けられる第２前垂れ４と、第１取付穴７及び第２取付穴８を介して第１前垂れ３に第２前垂れ４を取り付ける連結固定具９と、を備えたものである。【選択図】図２
2015131710.tif 000002
【特許請求の範囲】
【請求項１】
板状に形成され、上端部に取付具を備え、下端部にはエレベータのかご床の前梁の前面に形成された前梁取付穴に左右方向において対応した位置に第１取付穴が形成され、当該上端部が前記取付具により前記前梁の前面に取り付けられる第１前垂れと、
板状に形成され、上端部に第２取付穴が形成され、当該上端部が前記第１前垂れの下端部に取り付けられる第２前垂れと、
前記第１取付穴及び前記第２取付穴を介して前記第１前垂れに前記第２前垂れを取り付ける連結固定具と、
を備えたかご側前垂れ。
【請求項２】
前記第２前垂れは、前記第１前垂れが設けられる以前には、前記前梁取付穴及び前記第２取付穴を介して既設固定具により前記前梁の前面に取り付けられていた既設の部材である請求項１に記載のかご側前垂れ。
【請求項３】
前記連結固定具は、前記既設固定具である請求項２に記載のかご側前垂れ。
【請求項４】
前記第１前垂れは、前記第１取付穴が形成された下端部が前記取付具を備えた上端部と平行かつ当該上端部よりも後方に位置するように形成され、
前記第２前垂れは、前記第１前垂れの下端部の前面に重なるように取り付けられる請求項１から３のいずれか１項に記載のかご側前垂れ。
【請求項５】
前記前梁は、前面が開放されて形成され、左右方向から見た断面がＣ形状を呈し、
前記取付具は、
前記第１前垂れに設けられ、下向きの鉤状に形成され、前記前梁の開放された前面の下部に支持される第１取付部材と、
前記第１前垂れに設けられ、前記前梁の開放された前面の上部に支持される第２取付部材と、
を備えた請求項１から４のいずれか１項に記載のかご側前垂れ。
【請求項６】
前記第２取付部材は、上向きの鉤状に形成され、前記第１前垂れに対して上下方向の位置を調整可能に設けられた請求項５に記載のかご側前垂れ。
【請求項７】
一端部が前記かご床に接続され、他端部が前記第１前垂れの下端部の後面に接続される支持具を備えた請求項１から６のいずれか１項に記載のかご側前垂れ。
【請求項８】
前記支持具の前記他端部は、前記連結固定具により前記第１前垂れの下端部の後面に接続された請求項７に記載のかご側前垂れ。
【請求項９】
上端部に形成された第２取付穴及びエレベータのかご床の前梁の前面に形成された前梁取付穴を介して既設固定具により前記前梁の前面に取り付けられている既設の第２前垂れを取り外すステップと、
下端部に第１取付穴が形成された第１前垂れの上端部を前記前梁の前面に取り付けるステップと、
前記前梁の前面から取り外された前記第２前垂れの上端部を前記第２取付穴及び前記第１取付穴を介して連結固定具により前記第１前垂れの下端部に取り付けるステップと、
を備えたかご側前垂れ改修方法。
【請求項１０】
前記連結固定具は、前記既設固定具である請求項９に記載のかご側前垂れ改修方法。
【発明の詳細な説明】
【技術分野】
【０００１】
本発明は、かご側前垂れ及びかご側前垂れ改修方法に関するものである。
【背景技術】
【０００２】
下記特許文献１には、エレベータのかご側前垂れが記載されている。このかご側前垂れは、上部パネル及び下部パネルを備えている。上部パネルは、正面からボルト等でかご床に固定されている。下部パネルは、左右方向から取り付けられたガイドボルトにより上部パネルと連結されている。
【先行技術文献】
【特許文献】
【０００３】
【特許文献１】特開２００７−１９７１０３号公報
【特許文献２】実開昭６２−１５７８７０号公報
【特許文献３】実開昭５９−１９２５８５号公報
【発明の概要】
【発明が解決しようとする課題】
【０００４】
特許文献１に記載のかご側前垂れにおいて、下部パネルは、かご床に直接取り付けられるように形成されたものではない。このため、かご側前垂れを特許文献１に記載のものに改修する際に、既設のかご側前垂れとしてかご床に取り付けられていた部材を下部パネルとして流用することができない。
【０００５】
本発明は、上記のような課題を解決するためになされた。その目的は、既設の部材を流用して構成できるかご側前垂れを提供することである。
【課題を解決するための手段】
【０００６】
本発明に係るかご側前垂れは、板状に形成され、上端部に取付具を備え、下端部にはエレベータのかご床の前梁の前面に形成された前梁取付穴に左右方向において対応した位置に第１取付穴が形成され、当該上端部が取付具により前梁の前面に取り付けられる第１前垂れと、板状に形成され、上端部に第２取付穴が形成され、当該上端部が第１前垂れの下端部に取り付けられる第２前垂れと、第１取付穴及び第２取付穴を介して第１前垂れに第２前垂れを取り付ける連結固定具と、を備えたものである。
【０００７】
本発明に係るかご側前垂れ改修方法は、上端部に形成された第２取付穴及びエレベータのかご床の前梁の前面に形成された前梁取付穴を介して既設固定具により前梁の前面に取り付けられている既設の第２前垂れを取り外すステップと、下端部に第１取付穴が形成された第１前垂れの上端部を前梁の前面に取り付けるステップと、前梁の前面から取り外された第２前垂れの上端部を第２取付穴及び第１取付穴を介して連結固定具により第１前垂れの下端部に取り付けるステップと、を備えたものである。
【発明の効果】
【０００８】
本発明に係るかご側前垂れにおいて、第１前垂れの下端部には、かご床の前梁の前面に形成された前梁取付穴に対応した位置に第１取付穴が形成されている。このため、既設の部材を流用してかご側前垂れを構成することができる。
【図面の簡単な説明】
【０００９】
【図１】本発明の実施の形態１におけるかご側前垂れの正面図である。
【図２】本発明の実施の形態１におけるかご側前垂れの縦断面図である。
【図３】本発明の実施の形態１におけるかご側前垂れの取付方法を示す模式図である。
【図４】本発明の実施の形態２におけるかご側前垂れを示す縦断面図である。
【図５】本発明の実施の形態３におけるかご側前垂れを示す縦断面図である。
【発明を実施するための形態】
【００１０】
実施の形態１．
添付の図面を参照して、本発明を詳細に説明する。各図では、同一又は相当する部分に同一の符号を付している。重複する説明は、適宜簡略化あるいは省略する。
【００１１】
図１は、本実施の形態におけるかご側前垂れの正面図である。図１は、エレベータの乗場側から見たかご側前垂れの状態を示している。図１において、紙面手前側は前方、紙面奥側は後方である。
【００１２】
かご１のかご床の前側には、前梁２が設けられている。前梁２の前面の上部には、２つの前梁取付穴が形成されている。前梁取付穴は、前梁２の前面を前後方向に貫通して形成されている。２つの前梁取付穴は、上下方向において同じ高さに位置している。かご側前垂れは、前梁２に取り付けられている。かご側前垂れは、前梁２の前面から下方に延びるように設けられている。かご側前垂れは、第１前垂れ３及び第２前垂れ４を備えている。
【００１３】
第１前垂れ３は、板状に形成されている。第１前垂れ３は、第２前垂れ４よりも上下方向に長く形成されている。第１前垂れ３の上端部には、長穴５が形成されている。長穴５は、上下方向に長く形成されている。長穴５は、第１前垂れ３の左端付近及び右端付近に１つずつ形成されている。長穴５は、左右方向において、前梁取付穴に対応した位置に形成されている。２つの長穴５は、上下方向において同じ高さに位置している。
【００１４】
第１前垂れ３は、上端部に取付具６を備えている。取付具６は、第１取付部材６ａ及び第２取付部材６ｂを備えている。第１取付部材６ａは、長穴５の下方に固定されている。第１取付部材６ａは、第１前垂れ３の左端付近及び右端付近に１つずつ形成されている。第１取付部材６ａは、左右方向において、前梁取付穴に対応した位置に設けられている。２つの第１取付部材６ａは、上下方向において同じ高さに位置している。第２取付部材６ｂは、長穴５に沿って移動可能に設けられている。第２取付部材６ｂは、長穴５が形成されている範囲で、第１前垂れ３に対して固定可能に設けられている。つまり、第２取付部材６ｂは、第１前垂れ３に対して上下方向の位置を調整可能に設けられている。第２取付部材６ｂは、第１前垂れ３の左端付近及び右端付近に１つずつ形成されている。第２取付部材６ｂは、左右方向において、前梁取付穴に対応した位置に設けられている。
【００１５】
第１前垂れ３の下端部には、第１取付穴７が形成されている。第１取付穴７は、第１前垂れ３を前後方向に貫通して形成されている。第１取付穴７は、第１前垂れ３の左端付近及び右端付近に１つずつ形成されている。第１取付穴７は、左右方向において、前梁取付穴に対応した位置に形成されている。２つの第１取付穴７は、上下方向において同じ高さに位置している。
【００１６】
第２前垂れ４は、板状に形成されている。第２前垂れ４の左右方向の長さは、第１前垂れ３と同じである。第２前垂れ４の上端部には、第２取付穴８が形成されている。第２取付穴８は、第２前垂れ４を前後方向に貫通して形成されている。第２取付穴８は、第２前垂れ４の左端付近及び右端付近に１つずつ形成されている。第２取付穴８は、左右方向において、前梁取付穴に対応した位置に形成されている。第２取付穴８は、左右方向において、第１取付穴７に対応した位置に形成されている。２つの第２取付穴８は、上下方向において同じ高さに位置している。第２前垂れ４は、上端部が第１前垂れ３の下端部に重なるように設けられている。第２取付穴８は、前後方向から見て第１取付穴７と重なっている。
【００１７】
かご側前垂れは、連結固定具９を備えている。１つの連結固定具９は、前方から見て重なる第１取付穴７及び第２取付穴８に取り付けられている。つまり、連結固定具９により、第１前垂れ３の下端部に第２前垂れ４の上端部が取り付けられている。連結固定具９は、例えば、ネジ及びナット等である。
【００１８】
図２は、本実施の形態におけるかご側前垂れの縦断面図である。図２は、図１に示すかご側前垂れのＡ−Ａ断面を示している。図２において、右側は前方、左側は後方である。
【００１９】
かご１の下方には、かご床１０が設けられている。前梁２は、かご床１０の前方に設けられている。前梁２は、前面の上下方向における中央部が開放されて形成されている。前梁２は、前面の上部、上面、後面、下面及び前面の下部を備えた中空の部材である。前面の上部及び前面の下部は、前後方向における位置が同じである。このため、左右方向から見た前梁２の断面は、Ｃ形状を呈している。前梁取付穴は、前梁２の前面の上部に形成されている。
【００２０】
取付具６は、第１前垂れ３の後面側において、鉤状に形成されている。第１取付部材６ａは、下向きの鉤状に形成されている。第１取付部材６ａは、前梁２の開放された前面の下部に支持されている。第２取付部材６ｂは、上向きの鉤状に形成されている。第２取付部材６ｂは、前梁２の開放された前面の上部に支持されている。このようにして、第１前垂れ３が前梁２に支持されている。取付具６は、例えば、ネジに取り付けられた鉤状のクリップ等である。この場合、第２取付部材６ｂは、ネジによって第１前垂れ３に固定される。
【００２１】
第１前垂れ３は、上下方向における中央よりも下側で屈曲されて形成されている。第１前垂れ３は、下端部が上端部よりも後方に位置するように屈曲されている。第１前垂れ３は、下端部と上端部とが平行になるように屈曲されている。つまり、第１前垂れ３は、２箇所で逆向きに屈曲されている。このため、左右方向から見た第１前垂れ３の断面は、Ｚ形状を呈している。第１前垂れ３は、前後方向における上端部と下端部との間隔が第２前垂れ４の厚み程度となるように屈曲されている。第１取付穴７は、第１前垂れ３の下端部において、上側寄りの位置に形成されている。
【００２２】
第２前垂れ４は、下端部が後方に屈曲されて形成されている。第２前垂れ４は、上端部の後面が第１前垂れ３の下端部の前面に重なるように設けられている。第２前垂れ４は、第１取付穴７及び第２取付穴８を介して、連結固定具９により第１前垂れ３に取り付けられている。例えば、連結固定具９がネジ及びナットである場合、１つのネジが前方から第２取付穴８、第１取付穴７、ナットの順に挿入されることで、第２前垂れ４が第１前垂れ３に固定される。
【００２３】
図３は、本実施の形態におけるかご側前垂れの取付方法を示す模式図である。図３では、長穴５が形成されている範囲を斜線で示している。以下、図３を参照して、取付具６により第１前垂れ３を前梁２に取り付ける方法を説明する。
【００２４】
まず、（ａ）に示すように、第１取付部材６ａを前梁２の前面の下部に引っ掛ける。このとき、第２取付部材６ｂは、長穴５の下端側に位置している。次に、（ｂ）に示すように、第１前垂れ３を前梁２の前面の上部に押し当てる。そして、（ｃ）に示すように、第１前垂れ３を（ｂ）の状態に維持したまま、第２取付部材６ｂを長穴５の上端側に移動させる。その後、前梁２の前面の上部に引っ掛けた状態で、第２取付部材６ｂを第１前垂れ３に固定する。このようにして、第１前垂れ３が前梁２に取り付けられる。
【００２５】
本実施の形態では、第２前垂れ４の上端部には、左右方向において前梁取付穴に対応した位置に第２取付穴８が形成されている。つまり、第２前垂れ４は、前梁取付穴及び第２取付穴８を介して、既設固定具により前梁２の前面に取り付け可能な部材である。既設固定具は、例えば、連結固定具９と同形状の別部材である。このため、既設のかご側前垂れとして前梁２に取り付けられていた部材をそのまま第２前垂れ４として流用することができる。つまり、本実施の形態によれば、既設の部材を流用してかご側前垂れを構成することができる。その結果、例えば、既設のかご側前垂れを上下方向に長いものに改修する場合に、廃材を減らすことができる。
【００２６】
既設のかご側前垂れの改修方法の一例を説明する。第１ステップでは、前梁取付穴及び第１取付穴７を介して既設固定具により前梁２の前面に取り付けられている既設の第２前垂れ４を取り外す。第２ステップでは、下端部に第２取付穴８が形成された第１前垂れ３の上端部を取付具６により前梁２の前面に取り付ける。第３ステップでは、第１ステップで取り外された第２前垂れ４の上端部を第１取付穴７及び第２取付穴８を介して連結固定具９により第１前垂れ３の下端部に取り付ける。既設固定具と連結固定具９とが同形状である場合は、既設固定具をそのまま連結固定具９として流用することができる。なお、第２ステップと第３ステップは、互いに順序を入れ替えてもよい。
【００２７】
本実施の形態では、第１前垂れ３は、第２取付穴８が形成された下端部が取付具６を備えた上端部と平行かつ当該上端部よりも後方に位置するように形成されている。第１前垂れ３は、前後方向における上端部と下端部との間隔が第２前垂れ４の厚み程度となるように屈曲されている。第２前垂れ４は、上端部の後面が第１前垂れ３の下端部の前面に重なるように設けられている。このため、第２前垂れ４の前面は、第１前垂れ３の前面と面一になっている。これにより、かご側前垂れの前面における凹凸を最小限に抑えることができる。
【００２８】
本実施の形態では、前梁２は、前面が開放されて形成されている。前梁２は、左右方向から見た断面がＣ形状を呈している。第１取付部材６ａは、下向きの鉤状に形成されている。第１取付部材６ａは、前梁２の開放された前面の下部に支持される。第２取付部材６ｂは、前梁２の開放された前面の上部に支持される。本実施の形態によれば、第１取付部材６ａを前梁２の前面の下部に引っ掛けることで、第１前垂れ３を支持できる。このため、かご側前垂れを着脱する際に、第１前垂れ３を支持する役割の作業者は必要ない。その結果、２人作業の必要性をなくし、かご側前垂れの着脱作業を効率化することができる。
【００２９】
本実施の形態では、第２取付部材６ｂは、上向きの鉤状に形成されている。第２取付部材６ｂは、第１前垂れ３に対して上下方向の位置を調整可能に設けられている。本実施の形態によれば、連結固定具９を使用せずに第１前垂れ３を前梁２に取り付けることができる。このため、例えば、既設のかご側前垂れを改修する際に、前梁２に新たな前梁取付穴を形成する必要がない。その結果、かご側前垂れの改修作業を効率化することができる。
【００３０】
実施の形態２．
図４は、本実施の形態におけるかご側前垂れを示す縦断面図である。以下、実施の形態１と同一又は相当する部分には同一の符号を付して説明を省略する。
【００３１】
本実施の形態において、かご側前垂れは、支持具１１を備えている。支持具１１は、細長い棒状又は板状に形成されている。支持具１１は、かご床１０と第１前垂れ３との間に斜めに設けられている。支持具１１の一端部は、かご床１０に接続されている。支持具１１の他端部には、前後方向に貫通した図示しない支持具取付穴が形成されている。支持具１１の他端部は、連結固定具９により第１前垂れ３の下端部の後面に接続されている。例えば、連結固定具９がネジ及びナットである場合、１つのネジが前方から第２取付穴８、第１取付穴７、支持具取付穴、ナットの順に挿入されることで、支持具１１が第１前垂れ３に固定される。つまり、支持具１１の他端部は、左右方向において、第１取付穴７及び第２取付穴８に対応した位置に接続されている。このため、支持具１１は、第１前垂れ３の左端付近及び右端付近に１本ずつ接続されている。
【００３２】
本実施の形態によれば、かご側前垂れは、支持具１１を介してかご床１０に支持される。このため、かご側前垂れの強度を向上することができる。その結果、例えば、かご１の昇降に伴うかご側前垂れの揺れを抑制できる。また、支持具１１は、連結固定具９を利用して第１前垂れ３に接続されている。このため、簡単な構成でかご側前垂れを補強することができる。
【００３３】
実施の形態３．
図５は、本実施の形態におけるかご側前垂れを示す縦断面図である。以下、実施の形態２と同一又は相当する部分には同一の符号を付して説明を省略する。
【００３４】
第１前垂れ３は、支持具取付部１２を備えている。支持具取付部１２は、第１前垂れ３の下端部の後面に形成されている。支持具取付部１２は、第１取付穴７よりも下方に形成されている。支持具取付部１２は、第１前垂れ３と一体に形成されている。支持具取付部１２は、例えば、第１前垂れ３の下端部に切れ込みを入れて後方へ屈曲させることで形成される。支持具取付部１２は、左右方向において任意の位置に形成可能である。支持具１１の一端部は、かご床１０に接続されている。支持具１１の他端部は、支持具取付部１２に接続されている。
【００３５】
本実施の形態によれば、かご側前垂れは、支持具取付部１２に接続された支持具１１を介してかご床１０に支持される。支持具取付部１２は、第１取付穴７よりも下方の位置で第１前垂れ３と一体に形成されている。このため、かご側前垂れをより安定的に支持することができる。また、支持具取付部１２は、左右方向において任意の位置に形成可能である。このため、必要に応じて、支持具取付部１２の数及び位置を選択することができる。
【００３６】
本発明において、取付具６は、第１取付部材６ａ及び第２取付部材６ｂの一方の代わりにネジ及びナット等を備えたものでもよい。この場合、より簡単な構成で、既設の部材を流用してかご側前垂れを改修することができる。
【００３７】
本発明において、第１前垂れ３は、第１取付部材６ａ及び第２取付部材６ｂを備えなくともよい。例えば、第１前垂れ３は、前梁取付穴及び長穴５を介してネジ及びナット等により前梁２の前面の上部に取り付けられてもよい。この場合、より簡単な構成で、既設の部材を流用してかご側前垂れを改修することができる。また、第１前垂れ３は、前梁２の前面の上部及び下部の双方に対してネジ及びナット等により固定されてもよい。この場合、より安定的にかご側前垂れを前梁２に取り付けることができる。
【００３８】
本発明に係るかご側前垂れは、上昇時のかご１が乗場側出入口の上枠とかご１内の床面との垂直距離が１００ｃｍ以上となる位置に停止したとき、第２前垂れ４の下端部における屈曲の開始点から乗場の床面までの垂直距離が１１ｃｍ以下となるように形成されている。
【符号の説明】
【００３９】
１  かご、２  前梁、３  第１前垂れ、４  第２前垂れ、５  長穴、６  取付具、６ａ  第１取付部材、６ｂ  第２取付部材、７  第１取付穴、８  第２取付穴、９  連結固定具、１０  かご床、１１  支持具、１２  支持具取付部
【図１】
2015131710.tif 000003
【図２】
2015131710.tif 000004
【図３】
2015131710.tif 000005
【図４】
2015131710.tif 000006
【図５】
2015131710.tif 000007